(57)【要約】【課題】Ｘ線の受光撮像部としてフラットパネル型検出器あるいはイメージインテンシファイアとテレビカメラの組み合わせ等の電気信号を出力する検出器を用いるＸ線透視撮影装置において、Ｘ線管装置が発生するノイズのＸ線画像への影響を低減する。【解決手段】Ｘ線管取付装置２の取付リング２Ａおよび取付リング２Ｂが構成する二つ円部の内周面に、例えば厚さ１ｍｍのフッ素樹脂板等の絶縁板４を全周にわたってネジ留めにより固定し、さらにＸ線管装置１の二個の保持用リング部３Ｂの外側面に接するように、例えばフェノール樹脂製の絶縁リング５を配置して、取付リング２ＢによりＸ線管装置１を保持することにより、Ｘ線管装置１とＸ線管取付装置２の間を絶縁することによりＸ線管装置が発生するノイズのＸ線画像への影響を低減する。【選択図】          図１
2006340945.tif 000002
【特許請求の範囲】
【請求項１】
Ｘ線管装置と前記Ｘ線管装置をＸ線管取付装置により取り付け保持するＸ線保持装置と前記Ｘ線管装置から照射されたＸ線を受光して電気信号に変換するＸ線受光撮像装置と前記Ｘ線管装置に高電圧を供給する高電圧発生器により構成されるＸ線透視撮影装置において、前記Ｘ線管装置を電気的に絶縁して前記Ｘ線保持装置に取り付けることを特徴とするＸ線透視撮影装置。
【請求項２】
Ｘ線管装置とＸ線保持装置との電気的絶縁をＸ線管装置とＸ線管取付装置の間に絶縁物を挿入することにより行うことを特徴とする請求項１記載のＸ線透視撮影装置。
【請求項３】
Ｘ線管装置とＸ線保持装置との電気的絶縁をＸ線管取付装置の一部または全部を絶縁物で構成することにより行うことを特徴とする請求項１記載のＸ線透視撮影装置。
【請求項４】
Ｘ線管装置とＸ線保持装置との電気的絶縁を前記Ｘ線保持装置の一部を絶縁物で構成することにより行うことを特徴とする請求項１記載のＸ線透視撮影装置。
【発明の詳細な説明】
【技術分野】
【０００１】
Ｘ線の受光撮像部としてフラットパネル型検出器あるいはイメージインテンシファイアとテレビカメラの組み合わせ等の電気信号を出力する検出器を用いる診断用あるいは非破壊検査用のＸ線透視撮影装置に関する。
【背景技術】
【０００２】
Ｘ線透視撮影装置において受光撮像部としてフラットパネル型検出器あるいはイメージインテンシファイアとテレビカメラの組み合わせ等の電気信号を出力する検出器を用いる場合、Ｘ線の受光撮像部への電気的なノイズの混入は画像劣化の原因となるため極力防止しなければならない。このために過去種々のノイズ防止のための工夫が行われてきている（例えば特許文献１参照）。
【０００３】
画像劣化の原因となるノイズの一つにＸ線管装置が発生するノイズがある。図４はＸ線管装置の一例を示すものであり、図４（ａ）は正面図、図４（ｂ）は平面図である。Ｘ線管装置１はＸ線管外囲器３に内蔵されたＸ線管（図示しない）の陽極または陰極とそれぞれ電気的に接続された２箇所の高電圧接続部３Ａに外部から高電圧を印加することによりＸ線放射孔３ＣからＸ線を照射するものである。またＸ線放射孔３Ｃを中心にしてほぼ対照の位置にＸ線管外囲器３の全周にわたって設けられた２個の保持用リング部３Ｂは後述する方法によりＸ線管装置１をＸ線保持装置（図示しない）に取り付けるために用いられる。
【０００４】
Ｘ線管装置１は通常Ｘ線保持装置にＸ線受光部と対向して取り付けられるが、そのために図５に示すようなＸ線管取付装置２が用いられる。なお図５（ａ）はＸ線管取付装置２の正面図であり、図５（ｂ）は側面図、図５（ｃ）は平面図である。支持軸２Ｄの上部はＸ線管取付装置２をＸ線保持装置に取り付けるためにＸ線保持装置のＸ線管固定部に挿入する部分であり、下部には取付板２Ｃがネジにより固定される。取付板２Ｃの両端にはそれぞれ半円状の取付リング２Ａがネジにより固定され、さらにそれぞれの取付リング２Ａには半円状の取付リング２Ｂがネジ留めされて、Ｘ線管装置１を保持するための二個の円部を構成している。なおＸ線管取付装置２の各部品は通常アルミニウムで製作される。
【０００５】
図６はＸ線管装置１を保持したＸ線管取付装置２の断面図を示している。Ｘ線管取付装置２において、断面がＬ字型の取付リング２Ａおよび取付リング２Ｂが構成する二個の円部の内周面がそれぞれＸ線管装置１の二個の保持用リング部３Ｂの外周面に接触した状態でＸ線管装置１を保持するように、取付リング２Ｂが取付リング２Ａにネジ留めにより固定される。なお図６において図５と同じ符号で示される部品は図５と同じなのでそれらの説明は省略する。
【特許文献１】特開２００４−２４６８３号公報
【発明の開示】
【発明が解決しようとする課題】
【０００６】
画像劣化の原因となるノイズの一つにＸ線管装置が発生するノイズがあるが、その中でも特にＸ線管の陽極を回転させるためのステータコイルの駆動に関係して発生するノイズの影響が大きい。そしてＸ線管装置が発生するノイズは、Ｘ線管装置の外囲器がＸ線保持装置を経由してＸ線受光部筐体と電気的に短絡しているために、より顕著に画像ノイズとして現われることが多い。
【０００７】
一方Ｘ線管装置は感電を防止するためにその外囲器が接地線により分電盤等の接地端子に接続され、同様にＸ線保持装置およびＸ線受光部筐体も安全のために分電盤等の接地端子に接続されている。そのため上述のＸ線管装置の外囲器がＸ線保持装置を経由してＸ線受光部筐体と短絡していることは特に意図して行っていることではなく、結果的に画像ノイズの増加の原因になっているに過ぎない。本発明はＸ線管装置の外囲器がＸ線保持装置に電気的に短絡した状態で取り付けられていることによる画像ノイズの増加を防止することを目的とする。
【課題を解決するための手段】
【０００８】
請求項１の発明は上記の目的を達成するために、Ｘ線管装置と前記Ｘ線管装置をＸ線管取付装置により取り付け保持するＸ線保持装置と前記Ｘ線管装置から照射されたＸ線を受光して電気信号に変換するＸ線受光撮像装置と前記Ｘ線管装置に高電圧を供給する高電圧発生器により構成されるＸ線透視撮影装置において、前記Ｘ線管装置を電気的に絶縁して前記Ｘ線保持装置に取り付けるＸ線透視撮影装置を提供する。
【０００９】
請求項２の発明は上記の目的を達成するために、Ｘ線管装置とＸ線保持装置との電気的絶縁をＸ線管装置とＸ線管取付装置の間に絶縁物を挿入することにより行う請求項１記載のＸ線透視撮影装置を提供する。
【００１０】
請求項３の発明は上記の目的を達成するために、Ｘ線管装置とＸ線保持装置との電気的絶縁をＸ線管取付装置の一部または全部を絶縁物で構成することにより行う請求項１記載のＸ線透視撮影装置を提供する。
【００１１】
請求項４の発明は上記の目的を達成するために、Ｘ線管装置とＸ線保持装置との電気的絶縁を前記Ｘ線保持装置の一部を絶縁物で構成することにより行う請求項１記載のＸ線透視撮影装置を提供する。
【発明の効果】
【００１２】
Ｘ線管装置の外囲器を電気的に絶縁した状態でＸ線保持装置に取り付けることにより、Ｘ線管装置が発生するノイズの画像への影響が大幅に低減され、ノイズの少ないＸ線画像を得ることができる。
【発明を実施するための最良の形態】
【００１３】
請求項２、請求項３および請求項４の発明の実施例をそれぞれ実施例１、実施例２および実施例３に示す。
【実施例１】
【００１４】
実施例１について図１を用いて説明する。なお図１において図５と同じ符号で示される部品は図５と同じなのでそれらの説明は省略する。
【００１５】
背景技術の項で図６を用いて説明したように、Ｘ線管取付装置２において、断面がＬ字型の取付リング２Ａおよび取付リング２Ｂが構成する二個の円部の内周面がそれぞれＸ線管装置１の二個の保持用リング部３Ｂの外周面に接触した状態でＸ線管装置１を保持するように、取付リング２Ｂが取付リング２Ａにネジ留めにより固定されている。そのためＸ線管装置１はこの部分でＸ線管取付装置２と電気的に短絡し、さらにＸ線保持装置およびＸ線受光部筐体と短絡している。
【００１６】
本実施例ではＸ線管取付装置２の取付リング２Ａおよび取付リング２Ｂが構成する二個の円部の内周面に、例えば厚さ１ｍｍのフッ素樹脂板等の絶縁板４を全周にわたってネジ６により固定し、さらにＸ線管装置１の二個の保持用リング部３Ｂの外側面に接するように、例えばフェノール樹脂製の絶縁リング５を配置して、取付リング２ＢによりＸ線管装置１を保持することにより、Ｘ線管装置１とＸ線管取付装置２の間が絶縁されるので、Ｘ線管装置１を絶縁した状態でＸ線保持装置に取り付けることができる。
【実施例２】
【００１７】
実施例２について図２を用いて説明する。なお図２において図６と同じ符号で示される部品は図６と同じなのでそれらの説明は省略する。
【００１８】
図２のＸ線管取付装置７についてはその部品である支持軸７Ｄ、取付リング７Ａおよび取付リング７Ｂはそれぞれ図５のＸ線管取付装置２の支持軸２Ｄ、取付リング２Ａおよび取付リング２Ｂと同じである。そして図５において支持軸２Ｄにネジによって固定されている取付板２Ｃの代わりに、金属製の補強板７Ｆが金属製の補強板７Ｅとの間に、例えばフェノール樹脂等の絶縁物である絶縁取付板７Ｃを挟んだ状態で支持軸７Ｄにネジ留め固定されている。ただし絶縁のために補強板７Ｅおよび補強板７Ｆはいずれも取付リング７Ａに接触しない長さになっており、また絶縁取付板７Ｃの両端に取付リング７Ａを取り付けるための各ネジ穴についてはその強度を補強するためにヘリサート８が挿入固定されている。Ｘ線管取付装置７をこのように構成することにより支持軸７Ｄと取付リング７Ａの間が絶縁されるので、Ｘ線管装置１を絶縁した状態でＸ線保持装置に取り付けることができる。
【００１９】
上記の実施例では図５に示すＸ線管取付装置２の取付板２Ｃを絶縁物を用いて構成したが、その代わりに取付リング２Ａおよび取付リング２Ｂの両者または支持軸２Ｄを絶縁物を用いて構成してもよい。
【実施例３】
【００２０】
実施例３について図３を用いて説明する。図３はＸ線管取付装置２とＸ線保持装置１０の間を絶縁して、Ｘ線管装置１をＸ線保持装置１０に取り付ける例を示すものであり、図３（ａ）は正面図、図３（ｂ）は平面図である。具体的にはＸ線管取付装置２の支持軸２Ｄ（図５参照）が挿入固定される金属製のＸ線管固定部１０Ｂを金属製の保持装置本体１０Ａにネジ１０Ｃにより固定する部分について、Ｘ線管固定部１０Ｂと保持装置本体１０Ａの間に例えばフェノール樹脂等の絶縁物で製作された絶縁板１０Ｅを挿入し、さらにＸ線管固定部１０Ｂとネジ１０Ｃの間に例えばフェノール樹脂等の絶縁物で製作された絶縁筒１０Ｄを挿入することによりＸ線管取付装置２とＸ線保持装置１０の間が絶縁されるので、Ｘ線管装置１を絶縁した状態でＸ線保持装置に取り付けることができる。
【００２１】
上記の実施例では絶縁筒１０Ｄおよび絶縁板１０Ｅを用いてＸ線管固定部１０Ｂを保持装置本体１０Ａに固定したが、Ｘ線管固定部１０Ｂを絶縁物で構成して直接保持装置本体１０Ａに固定してもよい。
【産業上の利用可能性】
【００２２】
受光撮像部としてフラットパネル型検出器あるいはイメージインテンシファイアとテレビカメラの組み合わせ等の電気信号を出力する検出器を用いる診断用あるいは非破壊検査用のＸ線透視撮影装置に関する。
【図面の簡単な説明】
【００２３】
【図１】本発明の実施例を説明するための図である。
【図２】本発明の実施例を説明するための図である。
【図３】本発明の実施例を説明するための図である。
【図４】Ｘ線管装置の外観を説明するための図である。
【図５】Ｘ線管取付装置について説明するための図である。
【図６】Ｘ線管装置をＸ線管取付装置に取り付けた状態を示す図である。
【符号の説明】
【００２４】
１：Ｘ線管装置
２：Ｘ線管取付装置
２Ａ：取付リング
２Ｂ：取付リング
２Ｃ：取付板
２Ｄ：支持軸
３：Ｘ線管外囲器
３Ａ：高電圧接続部
３Ｂ：保持用リング部
３Ｃ：Ｘ線放射孔
４：絶縁板
５：絶縁リング
６：ネジ
７：Ｘ線管取付装置
７Ａ：取付リング
７Ｂ：取付リング
７Ｃ：絶縁取付板
７Ｄ：支持軸
７Ｅ：補強板
７Ｆ：補強板
８：ヘリサート
９：ネジ
１０：Ｘ線保持装置
１０Ａ：保持装置本体
１０Ｂ：Ｘ線管固定部
１０Ｃ：ネジ
１０Ｄ：絶縁筒
１０Ｅ：絶縁板
【図１】
2006340945.tif 000003
【図２】
2006340945.tif 000004
【図３】
2006340945.tif 000005
【図４】
2006340945.tif 000006
【図５】
2006340945.tif 000007
【図６】
2006340945.tif 000008